(57)【要約】【課題】閲覧対象となる者に対して効果的に閲覧させることができる情報提供方法、情報提供システム、情報提供装置およびプログラムを提供する。【解決手段】  情報提供システム１は、情報端末１００からウェブ情報取得要求ＤＭを受け付けるステップと、情報取得要求ＤＭに応じてウェブ情報を取得するステップと、取得されたウェブ情報とともに予め保持する広告情報ＡＤを情報端末１００に送信するステップとを実行する。【選択図】図１
2020119247.tif 000002
【特許請求の範囲】
【請求項１】
携帯情報端末からウェブ情報の取得要求を受け付ける要求受付ステップと、
前記取得要求に応じて前記ウェブ情報を取得するウェブ情報取得ステップと、
取得された前記ウェブ情報とともに予め保持する広告情報を前記携帯情報端末に送信する情報送信ステップと、
を備える情報提供方法。
【請求項２】
取得された前記ウェブ情報と前記広告情報とを用いて、前記携帯情報端末に表示させる画面情報を生成する情報生成ステップ、
をさらに備え、
前記情報送信ステップは、前記画面情報を前記携帯情報端末に送信することを特徴とする請求項１に記載の情報提供方法。
【請求項３】
前記情報生成ステップは、前記ウェブ情報を表示させる本体領域と、前記広告情報を表示させる広告領域とを備える前記画面情報を生成することを特徴とする請求項２に記載の情報提供方法。
【請求項４】
予め保持する複数の前記広告情報のうち、所定条件に基づいて一又は複数の広告情報を選択する選択ステップ、
をさらに備え、
前記情報生成ステップは、選択された前記一又は複数の広告情報と前記ウェブ情報とを用いて前記画面情報を生成することを特徴とする請求項２又は３に記載の情報提供方法。
【請求項５】
前記取得要求から特徴情報を抽出する抽出ステップ、
をさらに備え、
前記選択ステップは、抽出される前記特徴情報に対応する一又は複数の広告情報を選択することを特徴とする請求項４に記載の情報提供方法。
【請求項６】
外部環境情報を取得する環境情報取得ステップ、
をさらに備え、
前記環境情報取得ステップは、所定タイミング毎に前記外部環境情報を取得して更新し、
前記選択ステップは、前記外部環境情報を参照して一又は複数の広告情報を選択することを特徴とする請求項４又は５に記載の情報提供方法。
【請求項７】
前記情報生成ステップは、前記環境情報取得ステップにより取得される前記外部環境情報の緊急性に応じた表示態様の前記画面情報を生成することを特徴とする請求項６に記載の情報提供方法。
【請求項８】
前記情報生成ステップは、前記外部環境情報の緊急性に応じて、前記携帯情報端末から受信する安否情報を用いて前記画面情報を生成することを特徴とする請求項７に記載の情報提供方法。
【請求項９】
前記要求受付ステップは、前記携帯情報端末と無線通信可能であるとともに互いに異なる位置に配置される複数の受信装置のうち、いずれか一の受信装置を経由して前記取得要求を受け付け、
前記選択ステップは、前記取得要求が受け付けられる前記一の受信装置に対応付けられる一の広告情報を選択することを特徴とする請求項４乃至８のいずれかに記載の情報提供方法。
【請求項１０】
前記取得要求が受け付けられると、前記取得要求に基づいて前記ウェブ情報を要求するウェブ情報要求ステップ、
をさらに備え、
前記情報生成ステップは、前記ウェブ情報が要求されてから所定期間内に前記ウェブ情報が取得されない場合に、予め保持するエラーメッセージ情報を用いて前記画面情報を生成する請求項２乃至９のいずれかに記載の情報提供方法。
【請求項１１】
携帯情報端末からのアクセス要求を受け付ける受付ステップと、
前記アクセス要求を受け付けると、予め保持する広告情報を前記携帯情報端末に送信する情報送信ステップと、
を備える情報提供方法。
【請求項１２】
インターネットに接続するとともに予め広告情報を保持するサーバーと、前記サーバーと無線通信可能な携帯情報端末と、を備える情報提供システムであって、
前記サーバーは、
前記携帯情報端末からのウェブ情報の取得要求を受け付ける受付部と、
前記受付部により前記取得要求が受け付けられると、前記携帯情報端末に対して前記広告情報を送信する送信部と、
を備えることを特徴とする情報提供システム。
【請求項１３】
前記サーバーは、
前記取得要求に応じて、インターネットを経由して前記ウェブ情報を取得する取得部と、
前記取得部により取得される前記ウェブ情報と前記広告情報とを用いて、前記携帯情報端末の表示画面に表示させる画面情報を生成する生成部と、
をさらに備え、
前記送信部は、前記生成部により生成される前記画面情報を前記携帯情報端末に対して送信することを特徴とする請求項１２に記載の情報提供システム。
【請求項１４】
予め複数の広告情報を保持する前記サーバーは、
前記取得要求から特徴情報を抽出する特徴抽出部と、
前記複数の広告情報のうち一又は複数の広告情報を選択する選択部と、
をさらに備え、
前記選択部は、前記特徴抽出部により抽出される前記特徴情報に対応付けられる一又は複数の広告情報を選択し、
前記生成部は、前記ウェブ情報と前記選択部により選択される一又は複数の広告情報とを用いて、前記画面情報を生成することを特徴とする請求項１３に記載の情報提供システム。
【請求項１５】
前記サーバーは、
前記取得要求に応じてインターネットを経由して接続可能なウェブサーバーに前記ウェブ情報を要求する接続部、
をさらに備え、
前記生成部は、前記接続部により前記ウェブ情報が要求されてから所定期間内に前記ウェブ情報が取得されない場合に、予め保持するエラーメッセージ情報を用いて前記画面情報を生成することを特徴とする請求項１３又は１４に記載の情報提供システム。
【請求項１６】
インターネットに接続するサーバーと、前記サーバーと無線通信可能な携帯情報端末と、を備える情報提供システムであって、
前記サーバーは、
所定タイミング毎に前記インターネットを経由して外部環境情報を取得する環境情報取得部と、
前記携帯情報端末からのウェブ情報の取得要求を受け付ける受付部と、
前記受付部により前記取得要求が受け付けられると、前記環境情報取得部により取得される前記外部環境情報を前記携帯情報端末に対して送信する送信部と、
を備えることを特徴とする情報提供システム。
【請求項１７】
インターネットに接続するとともに、携帯情報端末と無線通信可能な情報提供装置であって、
前記携帯情報端末からのウェブ情報の取得要求を受け付ける受付部と、
前記受付部により前記取得要求が受け付けられると、予め保持する広告情報を前記携帯情報端末に対して送信する送信部と、
を備える情報提供装置。
【請求項１８】
前記取得要求に応じてインターネットを経由して前記ウェブ情報を取得する取得部と、
前記取得部により取得される前記ウェブ情報と前記広告情報とを用いて、前記携帯情報端末の表示画面に表示させる画面情報を生成する生成部と、
をさらに備え、
前記送信部は、前記生成部により生成される前記画面情報を前記携帯情報端末に対して送信することを特徴とする請求項１７に記載の情報提供装置。
【請求項１９】
予め複数の広告情報を記憶する記憶部と、
前記取得要求から特徴情報を抽出する特徴抽出部と、
前記複数の広告情報のうち一又は複数の広告情報を選択する選択部と、
をさらに備え、
前記選択部は、前記特徴抽出部により抽出される前記特徴情報に対応付けられる一又は複数の広告情報を選択し、
前記生成部は、前記ウェブ情報と前記選択部により選択される一又は複数の広告情報とを用いて前記画面情報を生成することを特徴とする請求項１８に記載の情報提供装置。
【請求項２０】
インターネットに接続するとともに、携帯情報端末と無線通信可能な情報提供装置において実行されるプログラムであって、
前記情報提供装置を、
前記携帯情報端末からのウェブ情報の取得要求を受け付ける受付部、
前記取得要求に応じてインターネットを経由して前記ウェブ情報を取得する取得部、
前記取得部により取得される前記ウェブ情報と、あらかじめ保持する広告情報とを用いて、前記携帯情報端末の表示画面に表示させる画面情報を生成する生成部、および、
前記生成部により生成される前記画面情報を前記携帯情報端末に対して送信する送信部、
として機能させることを特徴とするプログラム。
【請求項２１】
予め複数の広告情報を記憶する前記情報提供装置を、
前記取得要求から特徴情報を抽出する特徴抽出部、および、
前記複数の広告情報のうち、前記特徴抽出部により抽出される前記特徴情報に対応付けられる一又は複数の広告情報を選択する選択部、
としてさらに機能させ、
前記生成部は、前記ウェブ情報と前記選択部により選択される一又は複数の広告情報とを用いて前記画面情報を生成することを特徴とする請求項２０に記載のプログラム。
【発明の詳細な説明】
【技術分野】
【０００１】
本発明は、情報提供方法、情報提供システム、情報提供装置及びプログラムに関し、特に携帯情報端末に表示させる画面情報を提供する技術に関する。
【背景技術】
【０００２】
従来、情報を保持するサーバーから離れた遠隔地の人々に広告等の情報を閲覧させるニーズがある。広告情報を繁華街におけるディスプレイに表示させるため、広告配信サーバーは広告主からの配信指令を受信すると、ディスプレイに接続する受信側端末に広告を表示させる広告配信システムが提供されている（特許文献１）。特許文献１に示される広告配信システムによると、広告主からの配信指令に応じて繁華街におけるディスプレイに広告を表示させることが可能である。
【先行技術文献】
【特許文献】
【０００３】
【特許文献１】特開２０１５−７８６３号公報
【発明の概要】
【発明が解決しようとする課題】
【０００４】
しかしながら、特許文献１に示される広告配信システムは、広告主からの配信指令に基づいてディスプレイに広告を表示させるものである。そのため、配信指令が送信されるタイミングによっては、ディスプレイ周辺にいる人の数が少ない状況で広告が表示されることがあり、広告効果が低い場合があるという問題点がある。
【０００５】
そこで本発明は、上記問題点を解決するためになされたものであり、閲覧対象となる者に対して効果的に情報を閲覧させることが可能な情報提供方法、情報提供システム、情報提供装置及びプログラムを提供することを目的とする。
【課題を解決するための手段】
【０００６】
上記の目的を達成するため、請求項１の発明は、携帯情報端末からウェブ情報の取得要求を受け付ける要求受付ステップと、前記取得要求に応じて前記ウェブ情報を取得するウェブ情報取得ステップと、取得されたウェブ情報とともに予め保持する広告情報を前記携帯情報端末に送信する情報送信ステップとを備える情報提供方法である。
【０００７】
請求項２の発明は、請求項１に記載の情報提供方法において、取得された前記ウェブ情報と前記広告情報とを用いて、前記携帯情報端末に表示させる画面情報を生成する情報生成ステップをさらに備え、前記情報送信ステップは、前記画面情報を前記携帯情報端末に送信することを特徴とする構成である。
【０００８】
請求項３の発明は、請求項２に記載の情報提供方法において、前記情報生成ステップは、前記ウェブ情報を表示させる本体領域と、前記広告情報を表示させる広告領域とを備える前記画面情報を生成することを特徴とする構成である。
【０００９】
請求項４の発明は、請求項２又は３に記載の情報提供方法において、予め保持する複数の前記広告情報のうち、所定条件に基づいて一又は複数の広告情報を選択する選択ステップをさらに備え、前記情報生成ステップは、選択された前記一又は複数の広告情報と前記ウェブ情報とを用いて前記画面情報を生成することを特徴とする構成である。
【００１０】
請求項５の発明は、請求項４に記載の情報提供方法において、前記取得要求から特徴情報を抽出する抽出ステップをさらに備え、前記選択ステップは、抽出される前記特徴情報に対応する一又は複数の広告情報を選択することを特徴とする構成である。
【００１１】
請求６の発明は、請求項４又は５に記載の情報提供方法において、外部環境情報を取得する環境情報取得ステップをさらに備え、前記環境情報取得ステップは、所定タイミング毎に前記外部環境情報を取得して更新し、前記選択ステップは、前記外部環境情報を参照して一又は複数の広告情報を選択することを特徴とする構成である。
【００１２】
請求項７の発明は、請求項６に記載の情報提供方法において、前記情報生成ステップは、前記環境情報取得ステップにより取得される前記外部環境情報の緊急性に応じた表示態様の前記画面情報を生成することを特徴とする構成である。
【００１３】
請求項８の発明は、請求項７に記載の情報提供方法において、前記情報生成ステップは、前記外部環境情報の緊急性に応じて、前記携帯情報端末から受信する安否情報を用いて前記画面情報を生成することを特徴とする構成である。
【００１４】
請求項９の発明は、請求項４乃至８のいずれかに記載の情報提供方法において、前記要求受付ステップは、前記携帯情報端末と無線通信可能であるとともに互いに異なる位置に配置される複数の受信装置のうち、いずれか一の受信装置を経由して前記取得要求を受け付け、前記選択ステップは、前記取得要求が受け付けられる前記一の受信装置に対応付けられる一の広告情報を選択することを特徴とする構成である。
【００１５】
請求項１０の発明は、請求項２乃至９のいずれかに記載の情報提供において、前記取得要求が受け付けられると、前記取得要求に基づいて前記ウェブ情報を要求するウェブ情報要求ステップをさらに備え、前記情報生成ステップは、前記ウェブ情報が要求されてから所定期間内に前記ウェブ情報が取得されない場合に、あらかじめ保持するエラーメッセージ情報を用いて前記画面情報を生成することを特徴とする構成である。
【００１６】
請求項１１の発明は、携帯情報端末からのアクセス要求を受け付ける受付ステップと、前記アクセス要求を受け付けると、予め保持する広告情報を前記携帯情報端末に送信する情報送信ステップとを備える情報提供方法である。
【００１７】
請求項１２の発明は、インターネットに接続するとともに予め広告情報を保持するサーバーと、前記サーバーと無線通信可能な携帯情報端末とを備える情報提供システムであって、前記サーバーは、前記携帯情報端末からのウェブ情報の取得要求を受け付ける受付部と、前記受付部により前記取得要求が受け付けられると、前記携帯情報端末に対して前記広告情報を送信する送信部とを備えることを特徴とする構成である。
【００１８】
請求項１３の発明は、請求項１２に記載の情報提供システムにおいて、前記サーバーは、前記取得要求に応じて、インターネットを経由して前記ウェブ情報を取得する取得部と、前記取得部により取得される前記ウェブ情報と前記広告情報とを用いて、前記携帯情報端末の表示画面に表示させる画面情報を生成する生成部とをさらに備え、前記送信部は、前記生成部により生成される前記画面情報を前記携帯情報端末に対して送信することを特徴とする構成である。
【００１９】
請求項１４の発明は、請求項１３に記載の情報提供システムにおいて、予め複数の広告情報を保持する前記サーバーは、前記取得要求から特徴情報を抽出する特徴抽出部と、前記複数の広告情報のうち一又は複数の広告情報を選択する選択部とをさらに備え、前記選択部は、前記特徴抽出部により抽出される前記特徴情報に対応付けられる一又は複数の広告情報を選択し、前記生成部は、前記ウェブ情報と前記選択部により選択される一又は複数の広告情報とを用いて、前記画面情報を生成することを特徴とする構成である。
【００２０】
請求項１５の発明は、請求項１３又は１４に記載の情報提供システムにおいて、前記サーバーは、前記取得要求に応じてインターネットを経由して接続可能な情報提供サーバーに前記ウェブ情報を要求する接続部をさらに備え、前記生成部は、前記接続部により前記ウェブ情報が要求されてから所定期間内に前記ウェブ情報が取得されない場合に、予め保持するエラーメッセージ情報を用いて前記画面情報を生成することを特徴とする構成である。
【００２１】
請求項１６の発明は、インターネットに接続するサーバーと、前記サーバーと無線通信可能な携帯情報端末とを備える情報提供システムであって、前記サーバーは、所定タイミング毎に前記インターネット経由で外部環境情報を取得する環境情報取得部と、前記携帯情報端末からのウェブ情報の取得要求を受け付ける受付部と、前記受付部により前記取得要求が受け付けられると、前記環境情報取得部により取得される前記外部環境情報を前記携帯情報端末に対して送信する送信部とを備えることを特徴とする構成である。
【００２２】
請求項１７の発明は、インターネットに接続するとともに、携帯情報端末と無線通信可能な情報提供装置であって、前記携帯情報端末からのウェブ情報の取得要求を受け付ける受付部と、前記受付部により前記取得要求が受け付けられると、予め保持する広告情報を前記携帯情報端末に対して送信する送信部とを備えることを特徴とする構成である。
【００２３】
請求項１８の発明は、請求項１７に記載の情報提供装置において、前記取得要求に応じてインターネットを経由して前記ウェブ情報を取得する取得部と、前記取得部により取得される前記ウェブ情報と前記広告情報とを用いて、前記携帯情報端末の表示画面に表示させる画面情報を生成する生成部とをさらに備え、前記送信部は、前記生成部により生成される前記画面情報を前記携帯情報端末に対して送信することを特徴とする構成である。
【００２４】
請求項１９の発明は、請求項１８に記載の情報提供装置において、予め複数の広告情報を記憶する記憶部と、前記取得情報から特徴情報を抽出する特徴抽出部と、前記複数の広告情報のうち一又は複数の広告情報を選択する選択部とをさらに備え、前記選択部は、前記特徴抽出部により抽出される前記特徴情報に対応付けられる一又は複数の広告情報を選択し、前記生成部は、前記ウェブ情報と前記選択部により選択される一又は複数の広告情報とを用いて前記画面情報を生成することを特徴とする構成である。
【００２５】
請求項２０の発明は、インターネットに接続するとともに、携帯情報端末と無線通信可能な情報提供装置において実行されるプログラムであって、前記情報提供装置を、前記携帯情報端末からのウェブ情報の取得要求を受け付ける受付部と、前記取得要求に応じてインターネットを経由して前記ウェブ情報を取得する取得部と、前記取得部により取得される前記ウェブ情報と、予め保持する広告情報とを用いて、前記携帯情報端末の表示画面に表示させる画面情報を生成する生成部と、前記生成部により生成される前記画面情報を前記携帯情報端末に対して送信する送信部として機能させることを特徴とするプログラムである。
【００２６】
請求項２１の発明は、請求項２０に記載のプログラムにおいて、予め複数の広告情報を記憶する情報提供装置を、前記取得要求から特徴情報を抽出する特徴抽出部と、前記複数の広告情報のうち、前記特徴抽出部により抽出される前記特徴情報に対応付けられる一又は複数の広告情報を選択する選択部としてさらに機能させ、前記生成部は、前記ウェブ情報と前記選択部により選択される一又は複数の広告情報とを用いて前記画面情報を生成することを特徴とする構成である。
【発明の効果】
【００２７】
本発明によれば、ウェブ情報を閲覧しようとする者が操作する携帯情報端末に対して広告情報を送信することにより、効果的に広告情報を閲覧させることが可能となる。
【図面の簡単な説明】
【００２８】
【図１】第１実施形態における情報提供システムの一構成例を示す図である。
【図２】第１実施形態における情報提供サーバーの機能構成の一例を示すブロック図である。
【図３】第１実施形態におけるウェブ情報取得要求の構成の一例を示す図である。
【図４】第１実施形態における広告選択テーブルの構成の一例を示す図である。
【図５】第１実施形態における画面情報に基づく表示の一例を示す図である。
【図６】第１実施形態における情報提供サーバーにおいて実行される主要な処理手順の一例を示すフローチャートである。
【図７】第１実施形態における広告情報選択処理の一例を示すフローチャートである。
【図８】第１実施形態における画面情報生成処理の一例を示すフローチャートである。
【図９】第２実施形態における情報提供サーバーの機能構成の一例を示すブロック図である。
【図１０】第２実施形態における環境情報の構成の一例を示す図である。
【図１１】第２実施形態における広告選択テーブルの構成の一例を示す図である。
【図１２】第２実施形態における画面情報に基づく表示の一例を示す図である。
【図１３】第２実施形態における携帯情報端末と情報提供サーバーと環境情報サーバーとウェブサーバーとの通信態様の一例を示すシーケンス図である。
【図１４】第２実施形態における情報提供サーバーにおいて実行される主要な処理手順の一例を示すフローチャートである。
【図１５】第２実施形態における環境情報取得処理の一例を示すフローチャートである。
【図１６】第２実施形態における広告情報選択処理の一例を示すフローチャートである。
【図１７】第２実施形態における画面情報生成処理の一例を示すフローチャートである。
【図１８】第３実施形態における情報提供システムの一構成例を示す図である。
【図１９】（ａ）第３実施形態における環境情報の構成の一例を示す図である。（ｂ）第３実施形態における広告選択テーブルの構成の一例を示す図である。
【図２０】第３実施形態における画面情報に基づく表示の一例を示す図である。
【図２１】第４実施形態における画面情報に基づく表示の一例を示す図である。
【発明を実施するための形態】
【００２９】
（第１実施形態）
以下、本発明に関する第１実施形態を、図面を参照しつつ詳細に説明する。なお、以下に説明する実施形態において、互いに共通する部材・構成には同一符号を付しており、それらについての重複する説明は省略する。
【００３０】
図１は、本発明の一実施形態である情報提供システム１の構成例を示す図である。この情報提供システム１は、ケーブルにより接続されるアクセスポイントＡＰを有するサーバー２と、サーバー２と無線通信可能な情報端末１００と、インターネット２００上に配置されるとともにサーバー２と通信可能なウェブサーバー１２０とを備える。
【００３１】
情報端末１００は、スマートフォンやタブレット型ＰＣ（Personal Computer）やノート型ＰＣなどにより構成される。情報端末１００は、アクセスポイントＡＰとの間で、例えばＷｉ−Ｆｉ通信などの無線通信を行い、アクセスポイントＡＰを経由してサーバー２に接続される。
【００３２】
サーバー２は、インターネット２００に接続するとともに、インターネット２００上に配置されるウェブサーバー１２０と通信可能である。サーバー２は、ハードディスクドライブ（ＨＤＤ）などにより構成される記憶部４を備える。記憶部４には、情報端末１００の表示部１０１に表示される広告表示に対応する広告情報ＡＤが予め格納される。
【００３３】
アクセスポイントＡＰは、無線通信用ルータなどにより構成され、アクセスポイントＡＰの設置位置から所定距離以内の情報端末１００と無線通信可能であり、例えば半径２００メートル以内における情報端末１００との間で無線通信を行う。情報端末１００のユーザーは、ブラウザ等のアプリケーションを用いて閲覧可能なウェブサイトを閲覧しようとする場合に、アクセスポイントＡＰを経由してサーバー２に対して当該ウェブサイトに対応するウェブ情報を要求する。本実施形態において、ウェブ情報はウェブサイトに対応する情報であり、ブラウザ等のアプリケーションにより読み込まれることによって情報端末１００の表示部１０１に当該ウェブサイトを表示可能な情報である。
【００３４】
情報端末１００は、ユーザーの操作に基づいてウェブサイトを表示しようとする場合、ウェブ情報取得要求ＤＭをアクセスポイントＡＰに対して送信する。アクセスポイントＡＰがウェブ情報取得要求ＤＭを受信すると、当該ウェブ情報取得要求ＤＭはサーバー２に送信され、サーバー２はウェブ情報取得要求ＤＭを受け付ける。
【００３５】
ウェブ情報取得要求ＤＭを受け付けると、サーバー２は当該ウェブ情報取得要求ＤＭに基づきウェブ情報を取得する。サーバー２は、インターネット２００を経由して接続可能なウェブサーバー１２０に対して、ウェブ情報を要求する。ウェブサーバー１２０は、サーバー２からウェブ情報の要求を受信すると、当該ウェブ情報をサーバー２に対して送信する。
【００３６】
サーバー２は、記憶部４に格納されている広告情報ＡＤを読み出し、ウェブサーバー１２０から受信したウェブ情報と広告情報ＡＤとを情報端末１００に対して送信する。一例として、サーバー２は、ウェブサーバー１２０から受信したウェブ情報と広告情報ＡＤとを用いて、情報端末１００の表示部１０１に表示させる画面情報を生成する。
【００３７】
第１実施形態において、画面情報は情報端末１００の表示部１０１に表示される表示画像１０４に対応するものである。サーバー２は、生成された画面情報を情報端末１００に送信する。情報端末１００は、サーバー２から送信された画面情報を受信すると、当該画面情報を読み取るとともに、表示部１０１に画面情報に対応する表示画像１０４を表示させる。
【００３８】
後述するように、表示画像１０４には、ウェブ情報に対応するウェブ画像と、広告情報ＡＤに対応する広告画像とが含まれる。表示部１０１に広告画像が表示されることにより、情報端末１００のユーザーはウェブサイトを閲覧する際に広告画像も見ることになるため、効果的に広告を行うことが可能となるのである。
【００３９】
広告情報ＡＤは、情報端末１００の表示部１０１に表示させる情報である。広告情報ＡＤには、商業広告や注意喚起を目的とする広告のほか、事実を周知させることを目的とする広告を広く含む。
【００４０】
図２は、第１実施形態におけるサーバー２の機能構成の一例を示すブロック図である。サーバー２は、ケーブルにより接続されるアクセスポイントＡＰを備える。サーバー２では、ＣＰＵ（図示せず）により制御プログラム（図示せず）が実行されることにより、制御部３として機能する。制御プログラムは、記憶部４に予め記憶されている。或いはこれとは異なり、制御プログラムは例えばインターネット２００に接続するクラウドサーバー等に記憶されており、インターネット２００を経由してサーバー２にダウンロードされ、実行されてもよい。
【００４１】
制御部３は、情報端末１００からウェブ情報取得要求ＤＭを受け付ける受付部１０と、ウェブ情報を取得する取得部１２と、情報端末１００に送信する広告情報ＡＤを決定する広告制御部１４と、画面情報を生成する画面生成部１６と、ウェブ情報とともに広告情報ＡＤを情報端末１００に送信する送信部１８とを備える。
【００４２】
受付部１０は、アクセスポイントＡＰを経由して、情報端末１００から所定のウェブ情報の取得を要求するウェブ情報取得要求ＤＭを受け付ける処理部である。受付部１０は、ウェブ情報取得要求ＤＭを受け付けると、取得部１２にウェブ情報取得要求ＤＭを受け付けたことを通知する。
【００４３】
取得部１２は、ウェブ情報取得要求ＤＭに応じてウェブ情報を取得する処理部である。取得部１２は、ウェブ情報取得要求ＤＭの要求に基づいて、外部ネットワーク機器との接続を制御する接続部２０に対してウェブ情報の取得指示を行う。
【００４４】
図３は、ウェブ情報取得要求ＤＭの構成の一例を示す概念図である。図３（ａ）の例においてウェブ情報取得要求ＤＭは、ウェブ情報取得要求ＤＭが情報端末１００において生成された日時と、サーバー２からアクセスするウェブサーバー１２０のＩＰアドレス及びウェブサイトのＵＲＬを含む。
【００４５】
取得部１２は、ウェブ情報取得要求ＤＭを読み取るとともに、この要求に基づいてウェブサーバー１２０に対しアクセスするよう接続部２０に指示する。接続部２０は、ネットワークとのインタフェースとなる通信インタフェース２４を経由してインターネット２００上のウェブサーバー１２０にアクセスする。接続部２０は、ウェブサーバー１２０に対して、ウェブ情報取得要求ＤＭに基づくウェブ情報を要求する。
【００４６】
ウェブサーバー１２０は、要求に応じてウェブ情報をサーバー２に対して送信する。そして通信インタフェース２４を経由して接続部２０がウェブ情報を受信すると、接続部２０はウェブ情報の受信を取得部１２に通知する。接続部２０からの通知を受けると、取得部１２はウェブ情報を取得する。
【００４７】
受付部１０によりウェブ情報取得要求ＤＭが受け付けられると、広告制御部１４が機能する。広告制御部１４は、ウェブ情報取得要求ＤＭから特徴情報を抽出する特徴抽出部３０と、情報端末１００に送信する広告情報ＡＤを選択する選択部３２とをさらに備える。
【００４８】
特徴抽出部３０は、受付部１０により受け付けられたウェブ情報取得要求ＤＭを解析して所定の特徴情報を抽出する処理部である。特徴抽出部３０は、例えば図３（ａ）の例におけるウェブ情報取得要求ＤＭに含まれるウェブ情報に対応するＵＲＬを特徴情報として抽出する。第１実施形態において特徴情報は、ウェブ情報取得要求ＤＭを解析することにより取得される情報であって、情報端末１００からの要求を特徴付けるものをいう。
【００４９】
図３（ｂ）は図３（ａ）とは異なる構成のウェブ情報取得要求ＤＭの例を示す概念図である。図３（ｂ）の例では、検索ワード「Ｉｔａｌｉａｎ」と「ｋｙｏｔｏ」とが含まれる。特徴抽出部３０は、特徴情報として検索ワードを抽出してもよい。その他、特徴抽出部３０は、ウェブ情報取得要求ＤＭが生成された日時を特徴情報として抽出してもよいし、情報端末１００と無線通信を行ったアクセスポイントＡＰの情報を特徴情報として抽出してもよい。
【００５０】
選択部３２は、情報端末１００に送信する広告情報ＡＤを選択する処理部である。第１実施形態における記憶部４には、複数の広告情報ＡＤと、広告選択テーブル４０とが予め格納される。選択部３２は、複数の広告情報ＡＤのうち一又は複数の広告情報ＡＤを選択する。
【００５１】
特徴抽出部３０により特徴情報が抽出されると、選択部３２は広告選択テーブル４０を参照する。図４は広告選択テーブル４０の構成の一例を示す図である。第１実施形態における広告選択テーブル４０は、特徴抽出部３０により抽出される特徴情報と広告情報ＡＤとを対応付けるテーブルである。
【００５２】
例えば特徴抽出部３０により情報端末１００が無線通信を行ったアクセスポイントＡＰの情報が特徴情報として抽出される場合、図４（ａ）の例に示すように、広告選択テーブル４０はアクセスポイントＡＰ毎に一の広告情報ＡＤを対応付ける。選択部３２は、広告選択テーブル４０を参照して、特徴情報として抽出されるアクセスポイントＡＰに対応付けられる広告情報ＡＤを選択する。複数のアクセスポイントＡＰが備えられる場合、各アクセスポイントＡＰは互いに異なる位置に配置される。そのため、情報端末１００が無線通信を行ったアクセスポイントＡＰに対応する広告情報ＡＤを選択することにより、情報端末１００が存在する位置に応じた広告情報ＡＤが的確に選択されるのである。
【００５３】
図４（ｂ）は、図４（ａ）に示す例とは異なり、特徴抽出部３０により検索ワードが特徴情報として抽出される場合における広告選択テーブル４０の構成例を示す図である。広告選択テーブル４０において、抽出される検索ワードに一の広告情報ＡＤが対応付けられる。検索ワードと広告情報ＡＤとが対応付けられることから、情報端末１００のユーザーが関心を持つ事項に対応する広告情報ＡＤが選択されるのである。
【００５４】
また、広告選択テーブル４０は、ポイント４０ｂをさらに備える。ポイント４０ｂにおいて、各検索ワードに対応するポイント値がそれぞれ割り振られる。複数の検索ワードが特徴情報として抽出される場合に、選択部３２は、ポイント４０ｂに割り振られる値が高い検索ワードに対応付けられる広告情報ＡＤを選択する。例えば特定の情報と結びつきやすい検索ワードに対応付けられるポイント値は比較的高く設定され、複数の情報と結びつき得る検索ワードに対応付けられるポイント値は、特定の情報と結びつきやすい検索ワードに対応付けられるポイント値に比べて低く設定される。これにより、情報端末１００のユーザーが関心を持つ事項に対応する広告情報ＡＤをより的確に選択可能となる。
【００５５】
選択部３２は、複数の検索ワードに対応する複数の広告情報ＡＤをすべて選択してもよい。例えば、抽出された複数の検索ワードに割り振られる各々のポイント値が所定値以上である場合に、選択部３２は、広告選択テーブル４０において、これらの検索ワードに対応する複数の広告情報ＡＤを選択する。
【００５６】
なお、図４に示す例とは異なり、特徴抽出部３０によりウェブ情報取得要求ＤＭが生成された日時が特徴情報として抽出される場合、広告選択テーブル４０は、日付や時間帯毎に一の広告情報ＡＤを対応付けてもよい。選択部３２は、特徴情報として抽出される日付や時間帯に基づいて一又は複数の広告情報ＡＤを選択する。これにより、季節や特定の日におけるイベント、或いは時間帯に応じた広告情報ＡＤを選択可能となる。
【００５７】
画面生成部１６は、情報端末１００に表示させる画面情報を生成する処理部である。取得部１２によりウェブ情報が取得されるとともに選択部３２により広告情報ＡＤが選択されると、情報端末１００の表示部１０１に表示させる画面情報を生成する。
【００５８】
図５は、画面情報に基づく表示態様の一例を示す図である。情報端末１００は画像を表示可能な表示部１０１を備える。情報端末１００は、サーバー２から画面情報を受信すると、受信した画面情報を読み取って、表示画像１０４を表示部１０１に表示させる。
【００５９】
表示画像１０４は、表示部１０１の略中央部にウェブ情報に対応するウェブ画像を表示させるウェブ画像領域１０６を備え、ウェブ画像領域１０６に接するとともに表示部１０１の端部近傍において広告情報ＡＤに対応する広告画像を表示させる広告画像領域１０８を備える。
【００６０】
すなわち、画面生成部１６は、ウェブ画像を表示させるウェブ画像領域１０６と、広告画像を表示させる広告画像領域１０８とを備える画面情報を生成するのである。情報端末１００にウェブ情報とともに広告情報ＡＤに対応する画像をそれぞれ表示させることから、効率的に情報端末１００のユーザーに対して広告を閲覧させることが可能となる。
【００６１】
送信部１８は、画面情報を情報端末１００に対して送信する処理部である。画面生成部１６により画面情報が生成されると、送信部１８が機能して、アクセスポイントＡＰを経由して情報端末１００に対して画面情報を送信する。
【００６２】
図例とは異なり、画面生成部１６により生成される画面情報において、広告画像領域１０８が略中央付近に配置されてもよい。或いは、画面生成部１６は、広告画像領域１０８に表示される広告画像が情報端末１００の表示部１０１に表示されたときから所定時間経過後に消去される画面情報を生成してもよい。
【００６３】
さらに上述とは異なり、画面生成部１６は、広告情報ＡＤに対応する広告画像からなる広告画面情報を作成するとともに、広告画面情報とは異なる画面情報であって、ウェブ情報に対応するウェブ画像からなるウェブ画面情報を作成してもよい。送信部１８は、画面生成部１６により生成される広告画面情報とウェブ画面情報を、情報端末１００に対して送信する。情報端末１００は、表示部１０１においてウェブ画像と広告画像のそれぞれを表示させる。
【００６４】
前述のように、取得部１２は、受付部１０によりウェブ情報取得要求ＤＭが受け付けられると、ウェブ情報取得要求ＤＭに基づいてウェブ情報を要求する。しかし、通信障害が発生すると、インターネット上に置かれるウェブサーバー１２０へのアクセスに失敗することがある。そこで、画面生成部１６は、ウェブ情報が要求されてから所定期間内にこれが取得されない場合に、予め保持するエラーメッセージ情報ＥＭを用いて画面情報を生成する。
【００６５】
図２に戻って、第１実施形態において、記憶部４には予めエラーメッセージ情報ＥＭが格納される。本実施形態においてエラーメッセージ情報ＥＭは、情報端末１００の表示部１０１に、ウェブ情報取得要求ＤＭに対応するウェブ情報の取得に失敗した旨のメッセージを表示させるものである。
【００６６】
ウェブ情報を要求すると、取得部１２はタイマーをオンに設定する。そして、接続部２０を経由してウェブ情報が取得されることなく所定時間が経過すると、取得部１２は画面生成部１６に対してエラー通知を行う。
【００６７】
画面生成部１６は、取得部１２からエラー通知を受け取ると、記憶部４に格納されるエラーメッセージ情報ＥＭを読み出すとともに、エラーメッセージ情報ＥＭを用いて画面情報を生成する。画面生成部１６により画面情報が生成されると、送信部１８は、生成された画面情報を、アクセスポイントＡＰを経由して情報端末１００に送信する。
【００６８】
サーバー２から画面情報を受信すると、情報端末１００は受信した画面情報を読み取って、ウェブ情報の取得に失敗した旨のメッセージからなる表示画像１０４を表示部１０１に表示させる。これにより、情報端末１００のユーザーに対して通信障害を報知できる。
【００６９】
次に、第１実施形態における情報提供システム１を構成するサーバー２において行われる処理手順を説明する。図６は、サーバー２において行われる主要な処理手順の一例を示すフローチャートである。まず、サーバー２は、情報端末１００からウェブ情報取得要求ＤＭを受信したか否かを判定する（ステップＳ１）。ウェブ情報取得要求ＤＭを受信した場合（ステップＳ１でＹＥＳ）、サーバー２は、ウェブ情報の要求をウェブサーバー１２０に対して送信する（ステップＳ３）。
【００７０】
サーバー２は、ウェブ情報の要求を送信すると、タイマーをオンに設定して計時を開始する（ステップＳ４）。他方、情報端末１００からウェブ情報取得要求ＤＭを受信していない場合（ステップＳ１でＮＯ）、前述のステップＳ３及びステップＳ４をスキップする。
【００７１】
次に、サーバー２は、ウェブサーバー１２０からウェブ情報を受信したか否かを判定する（ステップＳ５）。ウェブ情報を受信した場合（ステップＳ５でＹＥＳ）、タイマーをオフに設定して計時を終了させる（ステップＳ６）。また、タイマーをリセットする。
【００７２】
サーバー２は、情報端末１００に送信する広告情報ＡＤを選択する広告情報選択処理（ステップＳ７）を実行する。広告情報選択処理（ステップＳ７）の具体的な処理手順については後述する。
【００７３】
ステップＳ５において、ウェブサーバー１２０からウェブ情報を受信していない場合（ステップＳ５でＮＯ）、サーバー２は、タイマーがオンに設定されているか否かを判定する（ステップＳ８）。そして、タイマーがオンに設定されている場合（ステップＳ８でＹＥＳ）、さらに、所定時間が経過したか否かを判定する（ステップＳ９）。すなわち、サーバー２は、タイマーにより所定時間以上が計時されているか否かを判定する。所定時間が経過している場合（ステップＳ９でＹＥＳ）、サーバー２はエラーフラグをオンに設定する（ステップＳ１１）。
【００７４】
ステップＳ８においてタイマーがオフに設定されている場合（ステップＳ８でＮＯ）、又は、ステップＳ９において所定時間が経過していない場合（ステップＳ９でＮＯ）、サーバー２は以下のステップをスキップするとともに、ステップＳ１に戻ってステップＳ１からステップＳ１５までの処理を繰り返し実行する。
【００７５】
広告情報選択処理（ステップＳ７）の実行後に、又はエラーフラグをオンに設定した（ステップＳ１１）後に、サーバー２は、情報端末１００に表示させる画面情報を生成する画面情報生成処理（ステップＳ１３）を実行する。画面情報生成処理（ステップＳ１３）の具体的な処理手順については後述する。
【００７６】
画面情報生成処理（ステップＳ１３）を実行すると、サーバー２は、生成された画面情報を情報端末１００に送信する（ステップＳ１５）。画面情報の送信を完了すると、サーバー２はステップＳ１に戻り、ステップＳ１からステップＳ１５までの処理を繰り返し実行する。
【００７７】
図７は、広告情報選択処理（図６のステップＳ７）の具体的な処理手順の一例を示すフローチャートである。サーバー２は、情報端末１００から受信したウェブ情報取得要求ＤＭを解析して（ステップＳ２１）、ウェブ情報取得要求ＤＭから特徴情報を抽出する（ステップＳ２３）。
【００７８】
次に、サーバー２は、記憶部４に格納される広告選択テーブル４０を参照する（ステップＳ２５）。サーバー２は、広告選択テーブル４０に基づいて、抽出された特徴情報に対応付けられる一又は複数の広告情報ＡＤを選択して（ステップＳ２７）広告情報選択処理（図６のステップＳ７）を終了させる。
【００７９】
抽出された特徴情報に対応する広告情報ＡＤを選択することにより、情報端末１００のユーザーが関心を有する広告や、時間帯や季節に応じた広告を情報端末１００に表示させることが可能となり、広告効果が向上するのである。
【００８０】
図８は、画面情報生成処理（図６のステップＳ１３）の具体的な処理手順の一例を示すフローチャートである。サーバー２は、エラーフラグがオフに設定されているか否かを判定する（ステップＳ３１）。エラーフラグがオフに設定されている場合（ステップＳ３１）、すなわちウェブサーバー１２０から所定時間経過前にウェブ情報を受信している場合に、サーバー２は広告情報選択処理（図７）により選択された広告情報ＡＤを読み出す（ステップＳ３３）。
【００８１】
さらに、サーバー２は、読み出された広告情報ＡＤに付加情報があるか否かを判定し（ステップＳ３５）、付加情報がある場合には付加情報を読み出して（ステップＳ３７）通常画面情報を生成する（ステップＳ３９）。通常画面情報とは、ウェブ情報と広告情報ＡＤとを用いて生成される画面情報である。
【００８２】
ここで付加情報とは、広告情報ＡＤにおける広告対象となる店舗等のクーポンなど、広告情報ＡＤに紐付けられる付加的な情報である。付加情報は、広告情報ＡＤより後にサーバー２に受け付けられる情報である。サーバー２は、付加情報を受け付けると、対応する広告情報ＡＤに紐付けて記憶部４に格納する。
【００８３】
通常画面情報を生成すると、サーバー２は画面情報生成処理（図６のステップＳ１３）を終了させる。ウェブ情報と広告情報ＡＤとが用いられて通常画面情報が生成されることにより、情報端末１００の表示部１０１にウェブサイトの表示とともに広告を表示させることが可能となる。
【００８４】
これに対して、エラーフラグがオンに設定されている場合（ステップＳ３１でＮＯ）、サーバー２は、記憶部４からエラーメッセージ情報ＥＭを読み出す（ステップＳ４１）。そして、エラーフラグをオフに設定するとともに（ステップＳ４３）、エラーメッセージ情報ＥＭを用いてエラー画面情報を生成する（ステップＳ４５）。
【００８５】
エラー画面情報を生成すると、サーバー２は画面情報生成処理（図６のステップＳ１３）を終了させる。エラーメッセージ情報ＥＭを用いたエラー画面情報が生成されることにより、情報端末１００の表示部１０１にエラー表示が表示されるため、ユーザーに通信障害の発生を報知することが可能となる。
【００８６】
なお、第１実施形態において、上述したものとは異なり、付加情報の有無を判定し（ステップＳ３５）、付加情報がある場合には付加情報を読み出す（ステップＳ３７）処理を行わなくともよい。
【００８７】
（第２実施形態）
次に、本発明の第２実施形態を説明する。第２実施形態では、上述した第１実施形態とは異なり、サーバー２は、インターネット２００に接続する環境情報サーバー１１０から環境情報７０を取得する構成である。
【００８８】
図９は、第２実施形態におけるサーバー２の機能構成の一例を示すブロック図である。第１実施形態において説明した処理部と同じ処理部には同一の符号を付すとともに、重複する説明を省略する。
【００８９】
第２実施形態において、広告制御部１４は、環境情報取得部６０と選択部３２とを備える。環境情報取得部６０は、インターネット２００を経由して通信可能な環境情報サーバー１１０から環境情報７０を取得する処理部である。
【００９０】
環境情報取得部６０は、所定タイミング毎に環境情報サーバー１１０に対して環境情報７０を要求するとともに、環境情報サーバー１１０から受信する環境情報７０を取得する。環境情報取得部６０は、取得した環境情報７０を記憶部４に格納する。
【００９１】
第２実施形態において環境情報７０は、ネットワークを経由してサーバー２とは異なる機器から取得される情報であって、広告情報ＡＤの選択に際して参照されるものである。図１０は、環境情報７０の構成の一例を示す図である。第２実施形態において、環境情報７０は、天候や気温、その他の気象に関する情報を含む。図例では、環境情報７０は、天候、温度、湿度、気圧、風速、降水確率および雷雨警報を含む。
【００９２】
環境情報７０は、警告情報からなる警告部１４０を備える。第２実施形態において警告情報は、情報端末１００のユーザーに対して報知される情報であって、緊急性が高いものをいう。
【００９３】
環境情報取得部６０は、環境情報サーバー１１０から受信した環境情報７０の警告部１４０を参照して、警告部１４０に警告情報が含まれている場合に、特殊環境情報フラグをオンに設定する。環境情報サーバー１１０は、所定の場所毎の環境情報７０を保持する。環境情報取得部６０は、場所毎の環境情報７０を記憶部４に格納する。
【００９４】
選択部３２は、環境情報取得部６０により取得される環境情報７０を参照して一の広告情報ＡＤを選択する。選択部３２は、環境情報７０とともに広告選択テーブル４０を参照する。そして、参照した環境情報７０に対応する一の広告情報ＡＤを選択する。なお、選択部３２は、環境情報７０を参照して複数の広告情報ＡＤを選択してもよい。
【００９５】
図１１は、第２実施形態における広告選択テーブル４０の一構成例を示す図である。図例の広告選択テーブル４０は、気温が環境情報７０に含まれる場合に、気温と広告情報ＡＤとを対応付ける構成である。例えば記憶部４に格納されている環境情報７０における気温が摂氏２４度である場合、選択部３２は、広告選択テーブル４０を参照して、２１度から２５度までの気温に対応付けられる広告情報ＡＤを選択する。なお、図１１の例とは異なり、第２実施形態において、天候や気圧など他の気象に関する情報が環境情報７０であってもよい。
【００９６】
選択部３２は、情報端末１００がアクセスしたアクセスポイントＡＰの位置に基づいて、当該アクセスポイントＡＰの位置に対応する場所の環境情報７０を参照する。これにより、情報端末１００のユーザーの現在位置に適合する環境情報７０に基づいて広告情報ＡＤが選択可能となる。
【００９７】
選択部３２により一又は複数の広告情報ＡＤが選択されると、画面生成部１６は、選択された広告情報ＡＤとウェブ情報とを用いて画面情報を生成する。送信部１８は、画面生成部１６により生成される画面情報を情報端末１００に送信する。
【００９８】
画面生成部１６は、環境情報取得部６０により取得される環境情報７０の緊急性に応じた表示態様の画面情報を生成する。一例として、画面生成部１６は、環境情報取得部６０により特殊環境情報フラグがオンに設定されている場合、警報情報を報知する注意画面情報を生成する。
【００９９】
環境情報取得部６０により取得される環境情報７０に基づき特殊環境情報フラグがオンに設定されている場合、選択部３２は広告選択テーブル４０に基づく広告情報ＡＤの選択を行わない。すなわち、広告情報ＡＤは選択されず、画面生成部１６は、環境情報７０を用いて警報情報を報知する注意画面情報を生成する。これにより、情報端末１００のユーザーに対して警報情報を報知し、ユーザーによる対応を促進することが可能となる。
【０１００】
図１２は、注意画面情報に基づく表示画像１０４の一構成例を示す図である。表示画像１０４は、略中央付近に注意画面情報に基づく注意画像を表示させる注意画像領域１０９を備える。注意画像領域１０９を前面側に表示するとともに、注意画像領域１０９の背面側にウェブ情報に対応するウェブ画像を表示させるウェブ画像領域１０６を備える。
【０１０１】
ウェブ情報に対応するウェブ画像は、前面側に表示される注意画像により一部隠蔽される。注意画像が表示部１０１の前面側に表示されるため、注意画像の視認性が向上し、情報端末１００のユーザーに対して緊急性の高い警告情報を良好に報知可能となる。
【０１０２】
受付部１０は、特殊環境情報フラグがオンに設定されると、情報端末１００からの安否情報の入力を受け付けてもよい。第２実施形態における安否情報とは、無線通信を行っている情報端末１００から、情報端末１００のユーザーの安否を知らせる情報をいう。
【０１０３】
特殊環境フラグがオンに設定されると、サーバー２から無線通信を行っている情報端末１００に対して安否情報入力画面情報が送信され、情報端末１００の表示部１０１に安否情報入力画面が表示される。安否情報入力画面の誘導にしたがって、情報端末１００のユーザーが安否情報を入力すると、安否情報がサーバー２に送信される。サーバー２が安否情報を受信すると、受付部１０がこの安否情報を受け付ける。
【０１０４】
受付部１０により安否情報が受け付けられると、画面生成部１６は、安否情報画面情報を生成する。安否情報画面情報は、安否情報入力を行った情報端末１００のユーザーの状態を報知する安否情報画面に対応する画面情報である。
【０１０５】
送信部１８は、画面生成部１６により生成された安否情報画面情報を、サーバー２と無線通信を行っている情報端末１００に対して送信する。安否情報画面情報を受信すると、情報端末１００は安否情報画面を表示部１０１に表示させる。これにより、サーバー２がインターネット２００に接続しているか否かにかかわらず、アクセスポイントＡＰから所定距離内の複数の情報端末１００同士で、情報端末１００のユーザーの安否を確認することが可能となる。
【０１０６】
なお、受付部１０は、情報端末１００が無線通信を行っているアクセスポイントＡＰの情報を安否情報として受け付けてもよい。複数のアクセスポイントＡＰが異なる位置に配置されている場合に、情報端末１００はこれら複数のアクセスポイントＡＰのうちいずれか一のアクセスポイントＡＰとの間で無線通信を行う。受付部１０は、情報端末１００が通信を行っているアクセスポイントＡＰの情報を安否情報として受け付ける。
【０１０７】
送信部１８は、受付部１０により受け付けられた安否情報を、複数のアクセスポイントＡＰのいずれかとの間で無線通信を行っている情報端末１００に対して送信する。各情報端末１００がいずれのアクセスポイントＡＰと無線通信を行っているのかが安否情報として送信されることにより、各情報端末１００のユーザーが所在する範囲を特定することが可能となるのである。
【０１０８】
また、受付部１０は、情報端末１００から受信する電波の強度に基づいて、アクセスポイントＡＰと情報端末１００との距離を検出し、検出された距離を安否情報として受け付けてもよい。これにより、情報端末１００のユーザーが所在する範囲をより詳細に特定することが可能となる。
【０１０９】
次に、第２実施形態における情報提供システム１を構成する各装置の通信態様を説明する。図１３は、第２実施形態における情報端末１００と、サーバー２と、環境情報サーバー１１０と、ウェブサーバー１２０との通信態様の一例を示すシーケンス図である。
【０１１０】
サーバー２は、所定タイミング毎に環境情報７０を取得する。環境情報取得タイミングの到来を検知する（プロセスＰ１）と、サーバー２は、環境情報サーバー１１０に対して、環境情報７０を要求する（プロセスＰ３）。
【０１１１】
サーバー２から環境情報７０の要求を受信すると、環境情報サーバー１１０は環境情報７０を抽出して（プロセスＰ５）サーバー２に対して送信する（プロセスＰ７）。サーバー２は、環境情報サーバー１１０から受信した環境情報７０を取得して（プロセスＰ９）記憶部４に格納する。なお、記憶部４に従前格納されていた環境情報７０は、プロセスＰ９において取得される環境情報７０に更新される。
【０１１２】
ユーザーの操作に応じて情報端末１００がウェブ情報取得要求ＤＭを生成すると（プロセスＰ１１）、情報端末１００は当該ウェブ情報取得要求ＤＭをサーバー２に送信する（プロセスＰ１３）。
【０１１３】
サーバー２は、情報端末１００からウェブ情報取得要求ＤＭを受信すると、当該ウェブ情報取得要求ＤＭを受け付ける（プロセスＰ１５）。そして、ウェブ情報取得要求ＤＭに応じて、ウェブサーバー１２０に対してウェブ情報を要求する（プロセスＰ１７）。
【０１１４】
ウェブサーバー１２０は、サーバー２からウェブ情報の要求を受信すると、要求に応じてウェブ情報を抽出する（プロセスＰ１９）。ウェブサーバー１２０は、抽出されたウェブ情報をサーバー２に対して送信する（プロセスＰ２１）。
【０１１５】
サーバー２は、ウェブサーバー１２０からウェブ情報を受信すると、当該ウェブ情報を取得する（プロセスＰ２３）。そして、サーバー２は、記憶部４に格納される環境情報７０を参照する（プロセスＰ２５）とともに、広告選択テーブル４０を参照して（プロセスＰ２７）、一の広告情報ＡＤを選択する（プロセスＰ２９）。
【０１１６】
サーバー２は、選択された広告情報ＡＤとウェブ情報とを用いて画面情報を生成する（プロセスＰ３１）。サーバー２は、生成された画面情報を情報端末１００に送信する（プロセスＰ３３）。情報端末１００は、サーバー２から画面情報を受信すると（プロセスＰ３５）、画面情報に基づいて表示部１０１に表示画像１０４を表示させる（プロセスＰ３７）。
【０１１７】
かかる一連の処理により、情報端末１００は、ウェブ情報に基づくウェブ画像と、環境情報７０に対応付けられる広告情報ＡＤに基づく広告画像とを表示部１０１に表示させる。情報端末１００のユーザーに対して、所望のウェブ情報とともに環境情報７０に応じた広告情報ＡＤも閲覧させることから、広告の効率性が高まる。
【０１１８】
図１４は、第２実施形態の情報提供システム１を構成するサーバー２において実行される主要な処理手順の一例を示すフローチャートである。まず、サーバー２は、ウェブ情報取得要求ＤＭを受信したか否かを判定する（ステップＳ７０）。ウェブ情報取得要求ＤＭを受信した場合（ステップＳ７０でＹＥＳ）、ウェブ情報要求をウェブサーバー１２０に対して送信する（ステップＳ７２）。他方、ウェブ情報取得要求ＤＭを受信しなかった場合（ステップＳ７０でＮＯ）、ステップＳ７２をスキップする。
【０１１９】
次に、サーバー２は、環境情報７０の取得タイミングであるか否かを判定する（ステップＳ７４）。サーバー２は、環境情報７０を所定時間毎に取得してもよいし、これとは異なり、ウェブ情報取得要求ＤＭを受信した場合に環境情報７０を取得してもよい。後者の場合、ウェブ情報取得要求ＤＭの受信タイミングに応じて新たな環境情報７０が取得されるため、比較的新しい環境情報７０に基づき広告情報ＡＤが選択される。これにより、サーバー２は、情報端末１００のユーザーの現在の環境に適した広告情報ＡＤを情報端末１００に対して送信できる。
【０１２０】
環境情報７０の取得タイミングである場合（ステップＳ７４でＹＥＳ）、サーバー２は、環境情報要求を環境情報サーバー１１０に対して送信する（ステップＳ７６）。他方、環境情報７０の取得タイミングではない場合（ステップＳ７４でＮＯ）、サーバー２はステップＳ７６をスキップする。
【０１２１】
次に、サーバー２は、環境情報サーバー１１０から環境情報７０を受信したか否かを判定する（ステップＳ７８）。環境情報７０を受信した場合（ステップＳ７８でＹＥＳ）、サーバー２は、環境情報取得処理（ステップＳ８０）を実行する。環境情報取得処理（ステップＳ８０）の具体的な処理手順については後述する。他方、環境情報７０を受信しなかった場合（ステップＳ７８でＮＯ）、ステップＳ８０をスキップする。
【０１２２】
さらに、サーバー２は、ウェブサーバー１２０からウェブ情報を受信したか否かを判定する（ステップＳ８２）。ウェブ情報を受信した場合（ステップＳ８２でＹＥＳ）、サーバー２は、広告情報選択処理（ステップＳ８４）を実行する。広告情報選択処理（ステップＳ８４）の具体的な処理手順については後述する。
【０１２３】
広告情報選択処理（ステップＳ８４）を実行すると、サーバー２は、次に画面情報生成処理（ステップＳ８６）を実行する。最後に、サーバー２は、生成される画面情報を情報端末１００に対して送信し（ステップＳ８８）、ステップＳ７０に戻ってステップＳ７０からステップＳ８８までの処理を繰り返し実行する。他方、ステップＳ８２においてウェブ情報を受信しなかった場合（ステップＳ８２でＮＯ）、サーバー２はステップＳ８４からステップＳ８８の処理をスキップしてステップＳ７０に戻り、ステップＳ７０からステップＳ８８までの処理を繰り返し実行する。
【０１２４】
図１５は、環境情報取得処理（図１４のステップＳ８０）の具体的な処理手順の一例を示すフローチャートである。サーバー２は、環境情報７０を受信すると（図１４のステップＳ７８でＹＥＳ）、環境情報７０を更新する（ステップＳ９０）。
【０１２５】
次に、サーバー２は、取得した環境情報７０が警報情報を含んでいるか否かを判定する（ステップＳ９２）。警報情報を含む場合（ステップＳ９２でＹＥＳ）、サーバー２は特殊環境情報フラグをオンに設定する（ステップＳ９４）。他方、警報情報が含まれていない場合（ステップＳ９２でＮＯ）、ステップＳ９４をスキップする。
【０１２６】
最後に、サーバー２は、更新した環境情報７０を記憶部４に格納して（ステップＳ９６）、環境情報取得処理（図１４のステップＳ８０）を終了させる。
【０１２７】
図１６は、第２実施形態における広告情報選択処理（図１４のステップＳ８４）の具体的な処理の一例を示すフローチャートである。サーバー２は、まず特殊環境フラグがオンに設定されているか否かを判定する（ステップＳ１０１）。特殊環境情報フラグがオンに設定されている場合（ステップＳ１０１でＹＥＳ）、サーバー２は広告情報ＡＤを選択することなく広告情報選択処理（図１４のステップＳ８４）を終了させる。
【０１２８】
他方、特殊環境情報フラグがオフに設定されている場合（ステップＳ１０１でＮＯ）、サーバー２は、記憶部４に格納される広告選択テーブル４０を参照する（ステップＳ１０３）。次に、サーバー２は、広告選択テーブル４０に基づいて広告情報ＡＤを選択する（ステップＳ１０５）。サーバー２は、環境情報取得処理（図１４のステップＳ８０）において取得された環境情報７０に対応付けられる広告情報ＡＤを選択する。
【０１２９】
なお、サーバー２は、情報端末１００がアクセスしたアクセスポイントＡＰの位置に対応する環境情報７０を参照するとともに、かかる環境情報７０に対応付けられる広告情報ＡＤを選択してもよい。これにより、情報端末１００のユーザーの現在位置における環境情報７０に対応する広告情報ＡＤが選択されるため、ユーザーがいる環境下において適切な広告を閲覧させることが可能となる。
【０１３０】
図１７は、第２実施形態における画面情報生成処理（図１４のステップＳ８６）の具体的な処理手順の一例を示すフローチャートである。サーバー２は、まず特殊環境情報フラグがオンに設定されているか否かを判定する（ステップＳ１１１）。特殊環境情報フラグがオンに設定されている場合（ステップＳ１１１でＹＥＳ）、サーバー２は、警報情報を読み出す（ステップＳ１１３）。
【０１３１】
特殊環境情報を読み出すと、サーバー２は、特殊環境情報を用いて注意画面情報を生成する（ステップＳ１１５）。サーバー２は、特殊環境情報に基づく注意画像領域１０９を前面側に表示させる注意画面情報を生成してもよい。これにより、注意画像の視認性が向上する。
【０１３２】
最後に、サーバー２は、特殊環境情報フラグをオフに設定して（ステップＳ１１７）、画面情報生成処理（図１４のステップＳ８６）を終了させる。
【０１３３】
他方、ステップＳ１１１において特殊環境情報フラグがオフに設定されている場合（ステップＳ１１１でＮＯ）、サーバー２は、広告情報選択処理（図１４のステップＳ８４）において選択された一の広告情報ＡＤを読み出す（ステップＳ１１９）。
【０１３４】
次に、サーバー２は、読み出された一の広告情報ＡＤと、取得されたウェブ情報とを用いて、通常画面情報を生成する（ステップＳ１２１）。ここで通常画面情報とは、例えば図５に示した表示画像１０４のように、ウェブ画像領域１０６が情報端末１００の表示部１０１の中央付近に配置されるとともに、広告画像領域１０８が端部近傍に配置される表示画像１０４に対応する画面情報をいう。ステップＳ１２１において通常画面情報が生成されると、サーバー２は画面情報生成処理（図１４のステップＳ８６）を終了させる。
【０１３５】
（第３実施形態）
次に、本発明に関する第３実施形態を説明する。図１８は、第３実施形態における情報提供システム１の全体構成の一例を示す図である。第３実施形態において、情報提供システム１は、インターネット２００を経由してサーバー２と通信可能であり、環境情報７０を入力する入力端末３００を備える。
【０１３６】
入力端末３００は、例えば店舗などに設置され、店舗から顧客等に対して報知するメッセージなどを入力して環境情報７０を生成する。入力端末３００が設置される店舗は、サーバー２に予め格納される広告情報ＡＤに対応する店舗である。
【０１３７】
複数の広告情報ＡＤを備える場合に、サーバー２は、環境情報７０を参照して一の広告情報ＡＤを選択する。すなわち、サーバー２は、入力端末３００により生成される環境情報７０に基づいて、入力端末３００が設置されるいずれかの店舗に対応する広告情報ＡＤを選択し、情報端末１００に送信する。そして、情報端末１００の表示部１０１に、入力端末３００が設置されるいずれかの店舗に対応する広告が表示されるのである。
【０１３８】
入力端末３００は、ユーザーの操作に基づいて環境情報７０を入力する。入力端末３００により環境情報７０が生成されると、入力端末３００はサーバー２に対して環境情報７０を送信する。
【０１３９】
複数の入力端末３００が備えられる場合、各々の入力端末３００には端末ＩＤが割り付けられる。例えば入力端末３００ａ（３００）には、端末ＩＤとしてＩＤ００１が割り付けられ、入力端末３００ｂ（３００）には、端末ＩＤとしてＩＤ００２が割り付けられる。各入力端末３００から送信される環境情報７０には、端末ＩＤも含まれる。
【０１４０】
サーバー２は、入力端末３００により送信された環境情報７０を受信すると、環境情報７０を更新して記憶部４に格納する。図１９（ａ）は、第３実施形態における環境情報７０の構成例を示す図である。環境情報７０は、端末ＩＤからなる端末ＩＤ欄７０ａと、入力端末３００により環境情報７０が入力された更新日付からなる更新日付欄７０ｂと、付加表示欄７０ｃとを備える。
【０１４１】
第３実施形態において、付加表示は、入力端末３００のユーザーの操作により入力されるとともに、情報端末１００の表示部１０１に表示されることにより顧客等に報知される表示をいう。
【０１４２】
広告情報ＡＤを選択する際に、選択部３２は、記憶部４に格納される環境情報７０を参照するとともに、更新日付欄７０ｂに含まれる各入力端末３００による更新日付を参照する。選択部３２は、例えば最も新しい更新日付を有する環境情報７０を検出するとともに、広告選択テーブル４０を参照して、検出された環境情報７０に対応する広告情報ＡＤを選択する。
【０１４３】
図１９（ｂ）は、第３実施形態における広告選択テーブル４０の一構成例を示す図である。本実施形態において、広告選択テーブル４０は、入力端末３００の端末ＩＤと広告情報ＡＤとを対応付ける。
【０１４４】
図１９（ａ）の環境情報７０において、例えば選択部３２が、ＩＤ００１に対応する環境情報７０を、最も新しい更新日付を備える環境情報７０として検出した場合に、選択部３２は、広告選択テーブル４０を参照して、複数の広告情報ＡＤのうち、ＩＤ００１に対応付けられる広告情報ＡＤを選択する。
【０１４５】
選択部３２により一の広告情報ＡＤが選択されると、画面生成部１６は、選択された広告情報ＡＤを記憶部４から読み出すとともに、選択部３２により検出された環境情報７０を読み出す。画面生成部１６は、広告情報ＡＤと環境情報７０に含まれる付加表示とを用いて、画面情報を生成する。
【０１４６】
図２０は、第３実施形態において情報端末１００の表示部１０１に表示される表示画像１０４の一例を示す図である。情報端末１００は、サーバー２から受信する画面情報に基づいて表示画像１０４を表示部１０１に表示させる。表示画像１０４は、ウェブ情報を表示させるウェブ画像領域１０６と、広告情報ＡＤを表示させる広告画像領域１０８と、付加表示を表示させる付加表示領域１５０とを備える。
【０１４７】
図例において付加表示領域１５０は、広告画像領域１０８の前面側に重畳して備えられる。そうすると、表示される広告情報ＡＤと付加表示とが互いに対応付けられてユーザーに視認される。これにより、入力端末３００が設置される店舗等の広告情報ＡＤと、入力端末３００により入力された付加表示とが互いに対応付けられるため、当該店舗に関して効果的に広告を表示可能となる。
【０１４８】
（第４実施形態）
次に、本発明の第４実施形態を説明する。第４実施形態においてサーバー２は、情報端末１００からのアクセス要求を受け付けると、情報端末１００に対して広告情報ＡＤからなる画面情報を送信して、情報端末１００に広告情報ＡＤに対応する広告画像を表示させる。
【０１４９】
第４実施形態において、サーバー２は情報端末１００と無線通信可能であって、受付部１０は情報端末１００からのアクセス要求を受け付ける。アクセス要求は、一例として情報端末１００から送信されるログイン要求や、情報端末１００がアクセスポイントＡＰと無線通信可能な範囲内にあることを知らせる通信などを含む。受付部１０によりアクセス要求が受け付けられると、送信部１８は、広告情報ＡＤを情報端末１００に送信する。
【０１５０】
第４実施形態において、受付部１０（図２参照）は、情報端末１００から受信するアクセス要求を受け付ける。受付部１０がアクセス要求を受け付けると、広告制御部１４は、記憶部４から広告情報ＡＤを選択する。広告制御部１４は、一の広告情報ＡＤを選択してもよいし、複数の広告情報ＡＤを選択してもよい。
【０１５１】
画面生成部１６は、選択された広告情報ＡＤを用いて画面情報を生成する。図２１は、情報端末１００における画像の表示態様の一例を示す図である。画面生成部１６は、第１広告画像領域１０８ａ（１０８）と、第２広告画像領域１０８ｂ（１０８）とを備える表示画像１０４に対応する画面情報を生成する。
【０１５２】
第１広告画像領域１０８ａ（１０８）は、ウェブ情報からなるウェブ画像が表示部１０１に表示される際に、表示部１０１から消去される。第２広告画像領域１０８ｂ（１０８）は、ウェブ画像が表示部１０１に表示される間、継続して表示部１０１に表示される。
【０１５３】
取得部１２によりウェブ情報が取得されると、画面生成部１６は、取得されるウェブ情報を用いて画面情報を生成する。すなわち、第４実施形態において画面生成部１６は、広告制御部１４により選択された広告情報ＡＤを用いた画面情報と、取得部１２により取得されたウェブ情報を用いた画面情報を夫々生成するのである。
【０１５４】
画面生成部１６は、ウェブ情報を用いて、広告情報ＡＤを用いた画面情報に基づく広告画像の背面側にウェブ画像を表示させる画面情報を生成する。
【０１５５】
図２１（ａ）に示すように、情報端末１００からのアクセス要求を受け付けると、サーバー２は、広告情報ＡＤを用いて画面情報を生成するとともに、情報端末１００に対して生成された画面情報を送信し、表示部１０１に広告画像からなる表示画像１０４を表示させる。
【０１５６】
そして、ウェブ情報取得要求ＤＭに対応するウェブ情報を取得すると、サーバー２は、ウェブ情報を用いて画面情報を生成するとともに、情報端末１００に対して生成された画面情報を送信する。
【０１５７】
図２１（ｂ）に示すように、情報端末１００は、ウェブ情報を用いた画面情報を受信すると、第１広告画像領域１０８ａ（１０８）を消去するとともに、ウェブ画像領域１０６を第２広告画像領域１０８ｂ（１０８）の背面側に表示させる。これにより、ウェブ画像が表示されている状態においても広告画像の視認性を良好に確保できる。
【０１５８】
情報端末１００は、ウェブ画像が広告画像の背面側に表示されると、第２広告画像領域１０８ｂ（１０８）における広告画像の表示態様を変化させてもよい。一例として、ウェブ画像を視認可能な程度に広告画像を半透明化させる。これにより、広告画像と重なり合うウェブ画像の視認性を高めることができる。
【０１５９】
（変形例）
以上、本発明に関する実施形態を説明したが、本発明は上記実施形態において説明した内容のものに限られるのではなく、種々の変形例が適用可能である。
【０１６０】
上記第１実施形態において、特徴抽出部３０は、情報端末１００から受信したウェブ情報取得要求ＤＭを解析して特徴情報を抽出する場合を示した。しかし、本発明はこれに限られるものではない。本発明において、特徴抽出部３０は、ウェブ情報取得要求ＤＭを送信した情報端末１００に対して、所定の特徴情報を要求してもよい。
【０１６１】
例えば、受付部１０によりウェブ情報取得要求ＤＭが受け付けられると、特徴抽出部３０は、当該ウェブ情報取得要求ＤＭを送信した情報端末１００に対して、所定の特徴情報の要求を送信する。特徴情報の要求を受信すると、情報端末１００は、この要求に応じて特徴情報を抽出して、サーバー２に対して特徴情報を送信する。特徴抽出部３０は、情報端末１００から受信する特徴情報を取得する。特徴情報は、例えばブラウザの言語設定や位置情報、或いは情報端末１００に記憶されているユーザーの属性情報であってもよい。
【０１６２】
第４実施形態において、サーバー２は情報端末１００と無線通信可能であって、サーバー２が情報端末１００からのアクセス要求を受け付けると広告情報ＡＤを情報端末１００に送信する場合を説明した。しかし、本発明はこれに限られない。例えば、アクセスポイントＡＰが情報端末１００と無線通信可能な情報提供装置として機能し、情報端末１００からのアクセス要求を受け付ける受付部と、受付部により情報端末１００からのアクセス要求が受け付けられると、広告情報を情報端末１００に対して送信する送信部と、を備えてもよい。
【０１６３】
また、アクセスポイントＡＰは、情報端末１００からのウェブ情報の取得要求を受け付ける受付部と、受付部によりウェブ情報の取得要求が受け付けられると、広告情報を情報端末１００に対して送信する送信部と、を備えてもよい。
【符号の説明】
【０１６４】
１              情報提供システム
２              サーバー（サーバー、情報提供装置）
１０            受付部（受付部）
１２            取得部（取得部）
１６            画面生成部（生成部）
１８            送信部（送信部）
３０            特徴抽出部（特徴抽出部）
３２            選択部（選択部）
６０            環境情報取得部（環境情報取得部）
７０            環境情報（外部環境情報）
１００          情報端末（携帯情報端末）
１２０          ウェブサーバー（ウェブサーバー）
ＡＰ            アクセスポイント（情報提供装置）
ＡＤ            広告情報（広告情報）
ＤＭ            ウェブ情報取得要求（取得要求）
ＥＭ            エラーメッセージ情報（エラーメッセージ情報）
Ｓ７，Ｓ８４    広告情報選択処理（選択ステップ）
Ｓ１３，Ｓ８６  画面情報生成処理（情報生成ステップ）
Ｓ８０          環境情報取得処理（環境情報取得ステップ）
【図１】
2020119247.tif 000003
【図２】
2020119247.tif 000004
【図３】
2020119247.tif 000005
【図４】
2020119247.tif 000006
【図５】
2020119247.tif 000007
【図６】
2020119247.tif 000008
【図７】
2020119247.tif 000009
【図８】
2020119247.tif 000010
【図９】
2020119247.tif 000011
【図１０】
2020119247.tif 000012
【図１１】
2020119247.tif 000013
【図１２】
2020119247.tif 000014
【図１３】
2020119247.tif 000015
【図１４】
2020119247.tif 000016
【図１５】
2020119247.tif 000017
【図１６】
2020119247.tif 000018
【図１７】
2020119247.tif 000019
【図１８】
2020119247.tif 000020
【図１９】
2020119247.tif 000021
【図２０】
2020119247.tif 000022
【図２１】
2020119247.tif 000023
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
所定距離以内に存在する携帯情報端末との間で無線通信可能なアクセスポイントが、前記携帯情報端末から無線通信が可能であることを知らせるアクセス要求を受け付ける受付ステップと、
前記アクセスポイントと前記携帯情報端末との間で無線通信が確立されると、予め保持する広告情報を前記携帯情報端末に送信する情報送信ステップと、
を備える情報提供方法。
【請求項２】
前記携帯情報端末に前記広告情報を表示させる情報表示ステップと、
前記携帯情報端末がウェブ情報を受信すると、前記携帯情報端末に表示されている前記広告情報を消去する情報消去ステップと、
をさらに備える請求項１に記載の情報提供方法。
【請求項３】
携帯情報端末からウェブ情報の取得要求を受け付ける要求受付ステップと、
前記取得要求に応じて前記ウェブ情報を取得するウェブ情報取得ステップと、
所定タイミング毎に外部環境情報を取得する環境情報取得ステップと、
予め保持する複数の広告情報のうち、前記外部環境情報を参照して一又は複数の広告情報を選択する選択ステップと、
取得された前記ウェブ情報と選択された前記広告情報とを用いて、前記携帯情報端末に表示させる画面情報を生成する情報生成ステップと、
前記画面情報を前記携帯情報端末に送信する情報送信ステップと、
を備え、
前記選択ステップは、前記外部環境情報が特殊環境情報である場合に、広告情報の選択を行わず、
前記情報生成ステップは、前記外部環境情報が前記特殊環境情報である場合に、前記携帯情報端末から受信する前記携帯情報端末のユーザーの安否情報を報知する安否情報画面情報を生成し、
前記情報送信ステップは、無線通信が確立されている携帯情報端末に前記安否情報画面情報を送信することを特徴とする情報提供方法。
【請求項４】
携帯情報端末と、前記携帯情報端末とインターネットを経由することなく無線通信可能なアクセスポイントとを用いて実現される情報提供方法であって、
インターネットを経由して外部環境情報を取得する環境情報取得ステップと、
取得される前記外部環境情報が特殊環境情報である場合に、前記携帯情報端末から安否情報を受け付ける受付ステップと、
前記携帯情報端末から受信する前記安否情報を、前記アクセスポイントとの間で無線通信が確立されている携帯情報端末に送信する送信ステップと、
を備える情報提供方法。
【請求項５】
インターネットに接続可能なサーバーと、インターネットを経由することなくアクセスポイントを通じて前記サーバーと無線通信可能な携帯情報端末とを備える情報提供システムであって、
前記サーバーは、
インターネットを経由して外部環境情報を取得する情報取得部と、
取得される前記外部環境情報が特殊環境情報である場合に、前記携帯情報端末から送信される安否情報を受け付ける受付部と、
前記携帯情報端末から受信する前記安否情報を、無線通信が確立されている携帯情報端末に対して送信する送信部と、
を備える情報提供システム。
【請求項６】
インターネットに接続可能であるとともに、携帯情報端末と無線通信可能な情報提供装置において実行されるプログラムであって、
前記情報提供装置を、
前記携帯情報端末からウェブ情報の取得要求を受け付ける受付部、
前記取得要求に応じて前記ウェブ情報を取得する取得部、
所定タイミング毎に外部環境情報を取得する環境情報取得部、
予め保持する複数の広告情報のうち、前記外部環境情報を参照して一又は複数の広告情報を選択する選択部、
取得された前記ウェブ情報と選択された広告情報とを用いて、前記携帯情報端末に表示させる画面情報を生成する生成部、および、
前記画面情報を前記携帯情報端末に送信する送信部、
として機能させ、
前記選択部は、前記外部環境情報が特殊環境情報である場合に、広告情報の選択を行わず、
前記生成部は、前記外部環境情報が前記特殊環境情報である場合に、前記携帯情報端末から受信する前記携帯情報端末のユーザーの安否情報を報知する安否情報画面情報を生成し、
前記送信部は、無線通信が確立されている携帯情報端末に前記安否情報画面情報を送信することを特徴とするプログラム。
【請求項７】
携帯情報端末とインターネットを経由することなく無線通信可能な情報提供装置において実行されるプログラムであって、
前記情報提供装置を、
インターネットを経由して外部環境情報を取得する環境情報取得部、
取得される前記外部環境情報が特殊環境情報である場合に、前記携帯情報端末から安否情報を受け付ける受付部、および、
前記携帯情報端末から受信する前記安否情報を、無線通信が確立されている携帯情報端末に送信する送信部、
として機能させるプログラム。
【請求項８】
アクセスポイントから所定距離以内に存在する携帯情報端末とインターネットを経由することなく無線通信可能な情報提供装置において実行されるプログラムであって、
前記情報提供装置を、
前記携帯情報端末から無線通信が可能であることを知らせるアクセス要求を受け付ける受付部、および、
前記携帯情報端末との間で無線通信が確立されると、予め保持する広告情報を前記携帯情報端末に送信する送信部、
として機能させるプログラム。
【手続補正２】
【補正対象書類名】明細書
【補正対象項目名】０００６
【補正方法】変更
【補正の内容】
【０００６】
上記の目的を達成するため、請求項１の発明は、所定距離以内に存在する携帯情報端末との間で無線通信可能なアクセスポイントが、前記携帯情報端末から無線通信が可能であることを知らせるアクセス要求を受け付ける受付ステップと、前記アクセスポイントと前記携帯情報端末との間で無線通信が確立されると、予め保持する広告情報を前記携帯情報端末に送信する情報送信ステップとを備える情報提供方法である。
【手続補正３】
【補正対象書類名】明細書
【補正対象項目名】０００７
【補正方法】変更
【補正の内容】
【０００７】
請求項２の発明は、請求項１に記載の情報提供方法において、前記携帯情報端末に前記広告情報を表示させる情報表示ステップと、前記携帯情報端末がウェブ情報を受信すると、前記携帯情報端末に表示されている前記広告情報を消去する情報消去ステップとをさらに備える構成である。
【手続補正４】
【補正対象書類名】明細書
【補正対象項目名】０００８
【補正方法】変更
【補正の内容】
【０００８】
請求項３の発明は、携帯情報端末からウェブ情報の取得要求を受け付ける要求受付ステップと、前記取得要求に応じて前記ウェブ情報を取得するウェブ情報取得ステップと、所定タイミング毎に外部環境情報を取得する環境情報取得ステップと、予め保持する複数の広告情報のうち、前記外部環境情報を参照して一又は複数の広告情報を選択する選択ステップと、取得された前記ウェブ情報と選択された前記広告情報とを用いて、前記携帯情報端末に表示させる画面情報を生成する情報生成ステップと、前記画面情報を前記携帯情報端末に送信する情報送信ステップとを備え、前記選択ステップは、前記外部環境情報が特殊環境情報である場合に、広告情報の選択を行わず、前記情報生成ステップは、前記外部環境情報が前記特殊環境情報である場合に、前記携帯情報端末から受信する前記携帯情報端末のユーザーの安否情報を報知する安否情報画面情報を生成し、前記情報送信ステップは、無線通信が確立されている携帯情報端末に前記安否情報画面情報を送信することを特徴とする情報提供方法である。
【手続補正５】
【補正対象書類名】明細書
【補正対象項目名】０００９
【補正方法】変更
【補正の内容】
【０００９】
請求項４の発明は、携帯情報端末と、前記携帯情報端末とインターネットを経由することなく無線通信可能なアクセスポイントとを用いて実現される情報提供方法であって、インターネットを経由して外部環境情報を取得する環境情報取得ステップと、取得される前記外部環境情報が特殊環境情報である場合に、前記携帯情報端末から安否情報を受け付ける受付ステップと、前記携帯情報端末から受信する前記安否情報を、前記アクセスポイントとの間で無線通信が確立されている携帯情報端末に送信する送信ステップとを備える構成である。
【手続補正６】
【補正対象書類名】明細書
【補正対象項目名】００１０
【補正方法】変更
【補正の内容】
【００１０】
請求項５の発明は、インターネットに接続可能なサーバーと、インターネットを経由することなくアクセスポイントを通じて前記サーバーと無線通信可能な携帯情報端末とを備える情報提供システムであって、前記サーバーは、インターネットを経由して外部環境情報を取得する情報取得部と、取得される前記外部環境情報が特殊環境情報である場合に、前記携帯情報端末から送信される安否情報を受け付ける受付部と、前記携帯情報端末から受信する前記安否情報を、無線通信が確立されている携帯情報端末に対して送信する送信部とを備える構成である。
【手続補正７】
【補正対象書類名】明細書
【補正対象項目名】００１１
【補正方法】変更
【補正の内容】
【００１１】
請求６の発明は、インターネットに接続可能であるとともに、携帯情報端末と無線通信可能な情報提供装置において実行されるプログラムであって、前記情報提供装置を、前記携帯情報端末からウェブ情報の取得要求を受け付ける受付部と、前記取得要求に応じて前記ウェブ情報を取得する取得部と所定タイミング毎に外部環境情報を取得する環境情報取得部と、予め保持する複数の広告情報のうち、前記外部環境情報を参照して一又は複数の広告情報を選択する選択部と、取得された前記ウェブ情報と選択された広告情報とを用いて、前記携帯情報端末に表示させる画面情報を生成する生成部と、前記画面情報を前記携帯情報端末に送信する送信部として機能させ、前記選択部は、前記外部環境情報が特殊環境情報である場合に、広告情報の選択を行わず、前記生成部は、前記外部環境情報が前記特殊環境情報である場合に、前記携帯情報端末から受信する前記携帯情報端末のユーザーの安否情報を報知する安否情報画面情報を生成し、前記送信部は、無線通信が確立されている携帯情報端末に前記安否情報画面情報を送信することを特徴とする構成である。
【手続補正８】
【補正対象書類名】明細書
【補正対象項目名】００１２
【補正方法】変更
【補正の内容】
【００１２】
請求項７の発明は、携帯情報端末とインターネットを経由することなく無線通信可能な情報提供装置において実行されるプログラムであって、前記情報提供装置を、インターネットを経由して外部環境情報を取得する環境情報取得部と、取得される前記外部環境情報が特殊環境情報である場合に、前記携帯情報端末から安否情報を受け付ける受付部と、前記携帯情報端末から受信する前記安否情報を、無線通信が確立されている携帯情報端末に送信する送信部として機能させる構成である。
【手続補正９】
【補正対象書類名】明細書
【補正対象項目名】００１３
【補正方法】変更
【補正の内容】
【００１３】
請求項８の発明は、アクセスポイントから所定距離以内に存在する携帯情報端末とインターネットを経由することなく無線通信可能な情報提供装置において実行されるプログラムであって、前記情報提供装置を、前記携帯情報端末から無線通信が可能であることを知らせるアクセス要求を受け付ける受付部と、前記携帯情報端末との間で無線通信が確立されると、予め保持する広告情報を前記携帯情報端末に送信する送信部として機能させる構成である。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】